(57)【要約】  本発明は、少なくとも１つの第１及び少なくとも１つの第２の収容部分１４、１６と少なくとも１つの係止要素２６とを持つハウジング１０に関する。少なくとも１つの係止要素は、少なくとも１つの第１の収容部分１４に可動に構成され、複数の第１の係合部分２８、３０、３２、３４を有する。これらは、第２の収容部分に構成される複数の第２の係合部分４４、４６、４８、５０と解放可能な適合された接続を形成する。第１及び第２の係合部分の係合状態及び係合していない状態の間の変化は、係止要素２６を移動することにより実現される。本発明は更に、斯かるハウジング１０を持つモニタデバイスに関する。
2015534276.tif 000002
【特許請求の範囲】
【請求項１】
ハウジングであって、
第１の内壁を持つ少なくとも１つの第１の収容部分と、
第２の内壁を持つ少なくとも１つの第２の収容部分と、
少なくとも１つの係止要素とを有し、
前記少なくとも１つの係止要素が、少なくとも１つの経路に沿って少なくとも１つの第１の収容部分に移動可能に構成され、かつ複数の第１の係合部分を有し、
前記少なくとも１つの第２の収容部分は、前記第２の内壁に複数の第２の係合部分を有し、
前記第１の係合部分の各１つが、係合状態及び係合していない状態の間で少なくとも変化されることができる１つの対応する第２の係合部分との解放可能な適合された接続を形成し、
これらの少なくとも２つの状態の間の前記変化は、前記少なくとも１つの経路に沿って前記個別の係止要素を移動することにより、係止要素における前記第１の係合部分及び前記対応する第２の係合部分に対して同時に実現される、ハウジング。
【請求項２】
前記少なくとも１つの経路が、前記少なくとも１つの係止要素の並進運動をもたらす、請求項１に記載のハウジング。
【請求項３】
前記少なくとも１つの経路が、前記少なくとも１つの係止要素の回転運動をもたらす、請求項１に記載のハウジング。
【請求項４】
前記ハウジングが、複数の係止要素を有する、請求項１に記載のハウジング。
【請求項５】
前記ハウジングが、２〜４つの係止要素を有する、請求項１に記載のハウジング。
【請求項６】
前記ハウジングが、４つの係止要素を有する、請求項１に記載のハウジング。
【請求項７】
前記ハウジングが、３つの係止要素を有する、請求項１に記載のハウジング。
【請求項８】
前記ハウジングが、２つの係止要素を有する、請求項１に記載のハウジング。
【請求項９】
前記係止要素が、前記ハウジングの対向する側に構成される、請求項４乃至８の任意の一項に記載のハウジング。
【請求項１０】
前記少なくとも１つの係止要素が、前記少なくとも１つの経路に沿って前記少なくとも１つの係止要素を移動するためのハンドルを有する、請求項１に記載のハウジング。
【請求項１１】
前記第１の収容部分の前記第１の内壁における少なくとも１つの第３の係合部分と、
前記第２の収容部分の前記第２の内壁における少なくとも１つの第４の係合部分とを更に有し、
前記少なくとも１つの第３の係合部分及び前記少なくとも１つの第４の係合部分が、前記第２の収容部分と前記第１の収容部分を接続することにより確立される解放可能な適合された接続を形成する、請求項１に記載のハウジング。
【請求項１２】
情報を提示するディスプレイと、
請求項１乃至１１の任意の一項に記載のハウジングとを有するモニタデバイス。
【発明の詳細な説明】
【技術分野】
【０００１】
本発明は、ハウジング、特に患者モニタに関するハウジングに関する。これは、少なくとも２つの収容部分と、少なくとも１つの第１の収容部分に移動可能に構成される少なくとも１つの係止要素と、この少なくとも１つの係止要素を動かすことにより、少なくとも１つの第２の収容部分において第２の係合部分と相互作用する複数の第１の係合部分とを有する。更に、本発明は、斯かるハウジングを持つモニタデバイスに関する。
【背景技術】
【０００２】
ハウジングに関して使用される一般的な係止要素は、整合する係合部分の１つ又は複数のペアを有する。そこでは、２つの係合部分のそれぞれの１つが、ハウジングの１つの部分に構成される。収容部分がまとめられるとき、それらが互いに係合した状態にされることができるよう、これらの整合する係合部分はこれらの収容部分に構成される。これは、例えば、２つの係合部分がネジ及び穴により実現される場合、あらゆるロック機構に対して個別的に作動されなければならない別々の機構により実現されることができ、又は１つの係合部分が他の係合部分にラッチすることで係合した状態が実現されるよう、少なくとも１つの係合部分がバイアスされることにより実現されることができる。
【発明の概要】
【発明が解決しようとする課題】
【０００３】
ロック機構としてネジを使用することはしばしば、異なる収容部分の不均等な固定をもたらし、液体又は他の不必要な流体がハウジングの内部に入ることを許す追加的なエントリポイントを、例えばネジが外側からアクセス可能な領域において提供する。上述したラッチング機構を持つハウジングは他方で、分解するのが困難である。その結果、ハウジングにおけるデバイスの保守に時間がかかり、結果として外部ハウジング表面の不必要で許容できない損傷を生じさせる。
【０００４】
本発明の目的は、ハウジング、及び斯かるハウジングを持つモニタデバイスを提供することである。これは、全体のハウジングが液体又は他の流体に関して不必要な開口部を提供せず、更に非常に容易に分解されることができる態様において、互いに解放可能に構成されることができる少なくとも２つの収容部分を有する。
【課題を解決するための手段】
【０００５】
本発明の側面において、ハウジングが、
第１の内壁を持つ少なくとも１つの第１の収容部分と、
第２の内壁を持つ少なくとも１つの第２の収容部分と、
少なくとも１つの係止要素とを具備し、
上記少なくとも１つの係止要素が、少なくとも１つの経路に沿って少なくとも１つの第１の収容部分に移動可能に構成され、かつ複数の第１の係合部分を有し、
上記少なくとも１つの第２の収容部分は、上記第２の内壁に複数の第２の係合部分を有し、
上記第１の係合部分の各１つが、係合状態及び係合していない状態の間で少なくとも変化されることができる１つの対応する第２の係合部分との解放可能な適合された接続（releasable fit connection：リリーサブルフィット接続）を形成し、
これらの少なくとも２つの状態の間の上記変化は、上記少なくとも１つの経路に沿って上記個別の係止要素を移動することにより、係止要素における上記第１の係合部分及び上記対応する第２の係合部分に対して同時に実現される。
【０００６】
本発明の別の態様によれば、モニタデバイス、好ましくは患者モニタが、
情報を提示するディスプレイと、
本発明によるハウジングとを具備する。
【０００７】
係止要素を移動することにより、対応する第１及び第２の係合部分の個別のペアが、ちょうど１度の作動により、係合状態（又は係合していない状態）にされることができる。これにより、均一に閉じられる状態が実現されることができる。更に、ハウジングの内部において第１及び第２の係合部分を提供することにより、即ち少なくとも１つの第１及び第２の収容部分の内壁に提供することにより、第１及び第２の係合部分のすべてのペアにアクセスするための開口部は、必要でない。必要であれば、係止要素は、ハウジングにおけるたった１つの開口部を介して作動されることができる。この例示的な実施形態の他に、磁気又は電子的に制御される作動といった、直接のアクセスを必要とすることなくハウジングを通り機能する他の作動方法も、もちろん可能である。係合部分の全てのペアに関して複数の開口部がないこと、及び少なくとも２つの収容部分の不均等な閉鎖がないことにより、滑らかで安全に閉じられるハウジングが提供される。全体のハウジングの設計にプラスの影響を与える他に、外側から見られるこれらの開口部及び係止要素がないことは、水、洗浄剤又はガスといった流体に対して気密であるハウジングを提供する。デバイスが、医学分野でしばしば起こる定期的な洗浄処理を受ける場合、及び患者モニタといったモニタデバイスのような医療デバイスである場合、これは特に有益である。また、複数の係合部分を同時に作動させ、これによりたった１度の作動で係合状態又は係合していない状態を提供することにより、ハウジングの高速なアセンブリ又は分解が可能である。従って、例えば保守及び／又は修理が行われる場合、ハウジングは、比較的簡単かつ高速に再度開かれる及び閉じられることができる。また、これは、斯かるハウジングを用いて、例えばモニタデバイスといったデバイスのより速い製造プロセスをもたらす。これは、個別のデバイスを製造する全体の経費を更に減らすことにつながる。
【０００８】
本発明の好ましい実施形態は、従属項において規定される。
【０００９】
ハウジングのある実施形態によれば、少なくとも１つの経路は、少なくとも１つの係止要素の並進運動をもたらす。斯かる設計により、作動及び従って、係合状態及び係合していない状態の確立が、係止要素を長手の経路に沿って移動させることにより実現される。この経路は、まっすぐでもよいし、又は湾曲形状を有することもできる。従って、係合状態及び係合していない状態の実現は例えば、プッシュ及びプル運動を介して実現されることができる。
【００１０】
ハウジングの別の実施形態によれば、少なくとも１つの経路は、少なくとも１つの係止要素の回転運動をもたらす。斯かる係止要素は好ましくは、回転軸周りで可動に個別の収容部分において構成される。斯かる構成は、非常にコンパクトな態様において実現されることができ、開く及び閉じる手順、即ち係合及び離脱のために多くの空間を必要としない。
【００１１】
ハウジングの別の実施形態によれば、ハウジングは、複数の係止要素、好ましくは２〜４つの係止要素を有し、これはより好ましくは、４つ、３つ又は、２つの係止要素を有する。複数の係止要素を用いると、例えば２つの係止要素を用いると、異なる領域において、又は、ハウジングの異なる場所で、本発明のこのロック機構を実現することが容易に可能である。これにより、全体のハウジングが、例えば、１０個のネジを使用する代わりに、単に２つの係止要素の作動により、閉じられ及び安全に係止されることができる。ハウジングのデザイン、そのサイズ及びハウジングの目的に基づき、係止要素の量は好ましくは、所望の目的に関して最適な態様で封止され、及び閉じられるハウジングを実現するために、２つ、３つ又は、４つの係止要素として選択されることができる。
【００１２】
ハウジングの別の実施形態によれば、係止要素は、ハウジングの対向する側に構成される。斯かる構成により、少なくとも２つの収容部分を互いに係止することが、簡単で均一な態様で実現されることができる。対向する側を用いることで、２つの収容部分にロック機構を介して作用する力の分散も均一である。
【００１３】
ハウジングの別の実施形態によれば、少なくとも１つの係止要素は、少なくとも１つの経路に沿って少なくとも１つの係止要素を移動するためのハンドルを有する。少なくとも１つのハンドルを提供することは、係止要素の作動を支援する。こうして、係止要素は、アクセスするのが困難な位置に構成されることができ、それでも、プッシュ及びプルにより、又は、ハンドルのスライド運動を介して容易に作動されることができる。こうして、本発明によるロック機構の一般原理に基づき、全体のロック機構の作動が、ハンドルを介して容易にアクセス可能な位置で発生することが可能であり、係止自体は、第１及び第２の係合部分を係合状態にすることにより、他の複数の位置で発生する。これらの他の位置は、よりアクセスが困難な位置とすることもできる。これは、これらの他の位置のアクセス性を考慮することなく、係止が最適であるよう、これらの他の位置が選択されることができることを意味する。
【００１４】
ハウジングの別の実施形態によれば、ハウジングは更に、
上記第１の収容部分の上記第１の内壁における少なくとも１つの第３の係合部分と、
上記第２の収容部分の上記第２の内壁における少なくとも１つの第４の係合部分とを有し、
上記少なくとも１つの第３の係合部分及び上記少なくとも１つの第４の係合部分が、上記第２の収容部分と上記第１の収容部分を接続することにより確立される解放可能な適合された接続を形成する。これらの第３及び第４の係合部分を提供することは、全体のハウジングに別のロック機構を提供する。このロック機構は、第１及び第２の収容部分を互いに接続することにより実現される。このため、このロック機構、即ち第３及び第４の係合部分は好ましくは、ハウジングの一方の側に構成される。全体のハウジングのアセンブリは、これらの第３及び第４の係合部分を互いに接続することにより実現されることができる。これは、第３及び第４の係合部分が構成される領域においてすでに係止された状態をもたらす。その後、第１及び第２の係合部分は、上述したように少なくとも１つの係止要素の作動により係止される。これにより、ハウジングの少なくとも１つの側に沿った係止が、別々の作動を必要とせず、２つの収容部分のアセンブリ処理において理解されることができる。
【図面の簡単な説明】
【００１５】
【図１】本発明によるある実施形態のハウジングの概略的な斜視表示を示す図である。
【図２】図１のハウジングを側面表示において示す図である。
【図３】図２のラインＩＩＩ〜ＩＩＩによる部分的な断面表示であり、したがって図１のハウジングの内部を示す図である。
【図４】図１のハウジングの第１の収容部分及び本発明によるロック機構の実施形態の分解表示を示す図である。
【図５】アセンブルされた状態にある図４の第１の収容部分を持つロック機構の部分的に概略的な斜視表示を示す図である。
【図６】係止又は係合した状態にあるロック機構を示す図３のラインＶＩ〜ＶＩによる拡大概略断面表示を示す図である。
【図７】ロックがかかってない又は係合していない状態にある図６のロック機構を示す図である。
【図８】係合していない状態にあるロック機構の別の実施形態を持つ図３に類似するハウジングの別の実施形態の表示を示す図である。
【図９】係合した状態にあるロック機構を持つ図８のハウジングを示す図である。
【図１０】図３のラインＸ〜Ｘによる拡大概略断面表示を示す図である。
【発明を実施するための形態】
【００１６】
本発明のこれらの及び他の態様が、以下に説明される実施形態より明らとなり、これらの実施形態を参照して説明されることになる。
【００１７】
本発明によるハウジングの実施形態が、図１〜図１０を用いて記載及び説明され、参照番号１０及び１２によりその全体が示される。
【００１８】
図１〜図５に示されるハウジング１０は、第１の収容部分１４及び第２の収容部分１６を有する。この例示的な実施形態において、ハウジング１０は、患者モニタに関するハウジングである。従って、ハウジング１０は更に、開口部１８を有する。この開口部１８は、ディスプレイ２０を収容することができる。このディスプレイ２０を介して、以下に限定されるものではないが、パルス、血圧、血液の酸素飽和、ＥＫＧ又はＥＥＧデータといった患者関連データが一般に、医療関係者又はユーザに対して表示されることができる。従って、ハウジング１０は、患者モニタデバイス（図示省略）に対して使用されることができる。
【００１９】
ハウジング１０のこの実施形態において、第１の収容部分１４及び第２の収容部分１６は、２つのロック機構２４及び２４'を介して一緒に保持される。これらのロック機構は、基本的に同じ要素を有するが、反対側に構成される。しかしながら、ロック機構２４の文脈における、及びこれに続く説明は、個別の図面に示されるロック機構２４'に対しても対応して有効である。明確さのため、同じ参照番号は、同一の特徴に対して使用されるが、参照番号には、プライム記号（'）が付加されることがある。
【００２０】
ロック機構２４は、本実施形態において、その上に構成される４つの第１の係合部分２８、３０、３２及び３４を持つ係止要素２６を有する。係止要素２６は、第１の収容部分１４に構成される。本実施形態において、係止要素２６は、固い要素として設計される。第１の収容部分１４に係止要素２６を構成するため、取付要素３６が提供される。この実施形態において、取付要素３６は、ホルダ３８を有し、ホルダは、これらのホルダ３８及び第１の収容部分１４の第１の内壁４０の間で係止要素２６を保持する。第１の収容部分１４の内壁４０に取付要素３６を保つため、取付要素３６を付けるためのネジ４２が提供される。第１の収容部分１４に取付要素３６を付けるのに、ネジ４２の代わりに、他の適切な取付手段が使用されることができることは言うまでもない。それは、以下に限定されるものではないが、鋲、接着剤、ラッチング機構などを含む。この構成の結果、係止要素２６は、第１の収容部分１４の一体部分を形成する。
【００２１】
第１の収容部分１４に第２の収容部分１６を付けるため、第２の係合部分４４、４６、４８及び５０が、第２の収容部分１６の内壁５２に構成される。これは後ほど更に詳細に説明される。
【００２２】
第１の係合部分２８、３０、３２、３４及び第２の係合部分４４、４６、４８、５０を互いに係合状態又は係合していない状態にするため、係止要素２６が、第１の収容部分１４上に回転可能に構成される。この回転は、図３に示されるように回転軸又はピボット軸５４に沿って発生する。このピボット軸５４周りの運動を介して、係止要素２６は、所定の経路に沿って回転運動を行う。係止要素２６を容易に作動させるため、係止要素２６上にハンドル５６が提供される。
【００２３】
第１の収容部分１４は、開口部５７も有する。この開口部５７を介して、第１の収容部分１４及びこれにより完全なハウジング１０が、例示的な患者モニタデバイスが属する主要ユニット（図示省略）といった他のデバイスに付けられることができる。この開口部５７を介して、ハンドル５６は容易にアクセスされることができる。しかしながら、特に開口部５７がない場合、ハンドル５６に対するアクセスを提供するために、他の（小さい）開口部が、ハウジング１０の側の少なくとも１つにおいて提供されることができる。ハンドル５６に対する直接のアクセスを必要としない他の態様の作動が使用されることもできる。これは、以下に限定されるものではないが、磁気又は電子的に制御される機構を含む。
【００２４】
ロック機構２４の機能が、図６及び図７における詳細な断面図により更に詳細に説明及び図示される。
【００２５】
図６は、ロック機構２４の係止又は係合状態を示す。そこでは、第１の係合部分３２が、第２の係合部分４８と解放可能で適合された接続状態にある。しかし、これらの例示的な説明においては、第１の係合部分３２及び第２の係合部分４８に対する参照だけがなされる。ロック機構２４の作動により、特に係止要素２６の作動により、すべての第１の係合部分２８、３０、３２及び３４が作動され、これにより、対応する第２の係合部分４４、４６、４８及び５０それぞれとの間で、解放可能な適合された接続状態、即ち係合状態にされることは言うまでもない。同じことは、前述の第１及び第２の係合部分の解放可能な適合された接続から係合していない状態へと向かう運動にも当てはまる。
【００２６】
第１の係合部分３２及び第２の係合部分４８の間の解放可能な適合された接続は、表面５８を有する第１の係合部分３２及び第２の表面６０を有する第２の係合部分４８により実現される。これらの表面５８及び６０は好ましくは、互いに平行に構成され、直接接触する。その結果、第２の収容部分１６が第１の収容部分１４上で強く保持される。
【００２７】
図６に示される係合状態において、第１及び第２の収容部分１４及び１６における任意の引力の結果として、係合部分３２及び４８に作用する力が、ピボット軸５４に向けられる、又はこれを通る力ベクトルを生じさせることが更に好ましい。言い換えると、表面５８及び６０は、係合した状態にあるこれらの表面５８及び６０の直交ベクトルが、係止要素２６のピボット軸５４を通過するか又はこの軸の方へ向けられるような態様で方向付けられる。最後のケースは、前述したのと同一であると考えられることができる。なぜなら、これらの係合部分３２及び４８上に作用する力は、係合した状態にある表面５８及び６０に直交するベクトルにより表されることができるからである。
【００２８】
ロック機構２４の係合していない状態を実現するため、ハンドル５６は、第２の収容部分１６から遠ざけられなければならない。即ち図６及び図７の表現に対して下向きに移動される。これは、図６において矢印６２により示される。これにより、ピボット軸５４周りでの回転が生じ、第１の係合部分３２だけでなく他のすべての第１の係合部分２８、３０及び３４が、第２の係合部分４８又は第２の係合部分４４、４６及び５０との適合された接続から抜け出すよう移動する。図６及び図７の表現に関しては、第１の係合部分３２は、左に、又は、ハウジング１０に対して内向きに移動する。この離脱の終わりの状態が、図７の表現により示される。この係合していない状態において、第２の収容部分１６は、第１の収容部分１４から、容易に取り除かれることができる。
【００２９】
係合又は係止状態が（再）確立される場合、ハンドル５６は、第２の収容部分１６の方へ、又は、図６及び図７の表現で言えば上方へ移動される。これは、矢印６４により示される。これにより、ピボット軸５４周りでの回転が再び発生する。その結果、第１の係合部分、例えば第１の係合部分３２が、ハウジング１０に対して外向きに、又は図７の表現で言えば右に移動される。これにより、第１の係合部分３２は、第２の係合部分４８と（再度）解放可能な適合された接続状態になる。
【００３０】
いずれかの方向にハンドル５６が不必要な運動をしないよう、及び従って、第１の係合部分２８、３０、３２及び３４が不必要な開閉をしないよう、保持機構６６が更に、第１の収容部分１４に提供される。ハウジング１０のこの特別な実施形態において、保持機構６６は、取付要素３６に構成される。保持機構６６は、取付要素３６に構成されるラッチ係合要素６８と、ハンドル５６に構成される鼻７０とを有する。矢印６２及び６４により示されるハンドル５６の運動方向において、鼻７０は、ラッチ係合要素６８の上を通過しなければならない。このラッチ係合要素６８はバイアスされて、曲げられることができる。その結果、鼻７０は、このラッチ係合要素６８の上を通過することができる。このため、ラッチ係合要素６８は、図６及び図７の表現で言えば右の方へ曲がる。鼻７０がラッチ係合要素６８を通過したあと、ラッチ係合要素６８のバイアスが原因で、後者は、その前者の位置へと移動する。いずれの方向においてもハンドル５６の不必要な運動が回避されつつ、ハンドル５６を作動させることにより必要な運動が容易に実現されることができるよう、ラッチ係合要素６８のバイアスは選択される。従って、この保持機構６６は更に、ハウジング１０の簡単で高速な開閉を支援する。
【００３１】
図８及び図９は、本発明によるハウジング、即ちハウジング１２の別の例示的な実施形態を示す。そこでは、ハウジング１０に対するのと同じパーツが、同じ参照番号により示され、詳細な説明は省略される。
【００３２】
図１０の断面図に示されるように、ハウジング１２は、第１の収容部分８６及び第２の収容部分９６を有する。第１の収容部分８６は、第１の内壁８７を有し、第２の収容部分９６は第２の内壁９７を有する。更に、図８を参照すると、ハウジング１２は、２つのタイプのロック機構である、ロック機構８０及びロック機構８２を有する。ロック機構タイプ８０が、第１の収容部分８６及び第２の収容部分９６を接続するアセンブリ処理（これは、後ほどより詳細に説明される）において係止又は係合状態にされる一方、第２のロック機構８２は好ましくは、第１の収容部分８６及び第２の収容部分９６のアセンブリ後、作動され、係止又は係合状態にされる。これは、ハウジング１０のロック機構２４に類似する。
【００３３】
また、図８に示されるように、ハウジング１０同様、ハウジング１２は、２つのロック機構８２及び８２'を有する。この場合も、それらのロック機構８２及び８２'は類似する要素を含む。その結果、ロック機構８２の文脈のため及びこの文脈においてなされる以下の説明は、個別の図面に示されるロック機構８２'に関しても対応して有効である。明確さのため、同じ参照番号は、同一の特徴に対して使用されるが、参照番号には、プライム記号（'）が付加されることがある。
【００３４】
更に、ロック機構２４として、ロック機構８２が、係合状態及び係合していない状態の間で変えられることができる。このため、ロック機構８２は、係止要素８４を有する。係止要素８４は、この例では取付要素３６を介してハウジング１２の第１の収容部分８６に構成される。第１の収容部分８６に係止要素８４を付けるためにハウジング１２において同じ取付要素３６が使用される場合であっても、この第１の収容部分８６上に可動に係止要素８４を付けるのに適した他の任意の取付要素又は取付方法が使用されることができることは言うまでもない。取付要素の選択は基本的に、個別の係止要素８４の形状及び設計に依存する。
【００３５】
ハウジング１２において、係止要素８４は、前のピボット軸に対応する経路に沿って、即ち長手方向に移動可能である。言い換えると、係止要素８４は、並進運動をすることが可能である。これは、図８及び図９において矢印８８及び９０により示される。簡単な作動のため、係止要素８４は、ハンドル９２を有する。このハンドル９２は基本的に、係止要素２６のハンドル５６に対応する。係止要素８４は更に、本実施形態において４つの第１の係合部分９４を有する。
【００３６】
第２の収容部分９６（図８及び図９では特に示されない）は、第２の内壁９７を有する。この内壁９７に、第２の係合部分９８が構成される。
【００３７】
図８は、第１の係合部分９４及び第２の係合部分９８の係合していない状態を示す。これは、第１の収容部分８６及び第２の収容部分９６が容易に分解されることができることを意味する。図８とは対照的に、図９は、係合した状態を示す。そこでは、第１の係合部分９４が、この図で言えば、第２の係合部分９８の上にある。これにより、係合部分９４及び９８の適合された接続が実現され、第１の収容部分８６及び第２の収容部分９６の分解は、不可能である。
【００３８】
図９に示されるように係合した状態を実現するため、係止要素８４は、矢印８８の方向において移動される。これは好ましくは、ハンドル９２を用いて行われることができる。これにより、第１の係合部分９４は、この方向において対応して移動され、対応する第２の係合部分９８と係合する。
【００３９】
図８に示されるように係合していない状態は、矢印９０の方向における係止要素８４の運動により、再び実現される。これは好ましくは、ハンドル９２を用いることにより再度行われる。その結果、第１の係合部分９４及び第２の係合部分９８は係合しなくなり、ハウジング１２の分解が可能となる。
【００４０】
第１の係合部分９４及び第２の係合部分９８の形状は例えば、第１の係合部分２８、３０、３２及び３４並びに第２の係合部分４４、４６、４８及び５０の形状とそれぞれ同一でありえる。しかしながら、第１及び第２の収容部分８６及び９６を信頼性高く係止することが実現される限り、これらの第１及び第２の係合部分９４及び９８に関して他の任意の適切な形状が選択されることができる。
【００４１】
図１０は、図８の文脈において上述したロック機構８０の単純な表現を示す。このロック機構８０は、第３の係合部分を形成する舌１００及び第４の係合部分を形成する溝１０２を有する。この特別な実施形態において、舌１００は、第１の収容部分８６の第１の内壁８７に構成され、溝１０２は、第２の収容部分９６の第２の内壁９７に構成される。このロック機構８０の係止状態は、可能であれば舌１００が溝１０２に入るようわずかに曲げられた態様で、第１の収容部分８６及び第２の収容部分９６を接続することにより実現される。
【００４２】
図８〜図１０に示されるようにロック機構８０とロック機構８２とを持つ斯かる構成により、ハウジング１２の２つの収容部分８６及び９６の均一に分散された係止が、３つの側で実現される。これは、２つの収容部分８６及び９６の均一に係止された状態及び信頼性が高い係止をもたらす。
【００４３】
作動可能なロック機構８２の他に別のロック機構８０を持つハウジング１２だけが示されるが、図１〜図７においてハウジング１０に関して示されるロック機構の実施形態は、ロック機構８０と同一又は類似するロック機構を具備することもできることは言うまでもない。更に、この静的ロック機構８０の他に、ハウジングは、ロック機構８０の代わりに、又は、ハウジングの全ての可能な側に存在する作動可能なロック機構と共にでさえ、例えばロック機構２４及び８２といった別の作動可能なロック機構を具備することができる。
【００４４】
本発明が図面及び前述の説明において詳細に図示され及び説明されたが、斯かる図示及び説明は、説明的又は例示的であると考えられ、本発明を限定するものではない。本発明は、開示された実施形態に限定されるものではない。図面、開示及び添付された請求項の研究から、開示された実施形態に対する他の変形が、請求項に記載の本発明を実施する当業者により理解され、実行されることができる。
【００４５】
請求項において、単語「有する」は他の要素又はステップを除外するものではなく、不定冠詞「ａ」又は「ａｎ」は複数性を除外するものではない。単一の要素又は他のユニットが、請求項に記載される複数のアイテムの機能を満たすことができる。特定の手段が相互に異なる従属項に記載されるという単なる事実は、これらの手段の組み合わせが有利に使用されることができないことを意味するものではない。
【図１】
2015534276.tif 000003
【図２】
2015534276.tif 000004
【図３】
2015534276.tif 000005
【図４】
2015534276.tif 000006
【図５】
2015534276.tif 000007
【図６】
2015534276.tif 000008
【図７】
2015534276.tif 000009
【図８】
2015534276.tif 000010
【図９】
2015534276.tif 000011
【図１０】
2015534276.tif 000012
【国際調査報告】
2015534276.tif 000013
2015534276.tif 000014
2015534276.tif 000015